(57)【要約】      （修正有）【課題】目頭側や目尻側のまつ毛を中央部分のまつ毛と同様に効果的に、しかも自然な感じにカールできるまつ毛整形具を提供することにある。【解決手段】本体ケースの一端に整形ヘッドを有し、整形ヘッドにヒーター２９が配置されているまつ毛整形具であって、整形ヘッドの周面と突端面のそれぞれに、まつ毛を整形するための第１整形面３３と第２整形面３４が設けられている。第２整形面３４の全長Ｈ２は、第１整形面３３の全長Ｈ１に比べて小さく設定されている。本体ケースの一端に整形ヘッドを有し、整形ヘッドにヒーター２９が配置されているまつ毛整形具であって、整形ヘッドの周面と突端面のそれぞれに、まつ毛を整形するための第１整形面３３と第２整形面３４が設けられている。第２整形面３４の面積は、第１整形面３３の面積に比べて小さく設定されている。【選択図】図１５
2010188150.tif 000002
【特許請求の範囲】
【請求項１】
本体ケース（１）の一端に整形ヘッド（２）を有し、整形ヘッド（２）にヒーター（２９）が配置されているまつ毛整形具であって、
整形ヘッド（２）の周面と突端面のそれぞれに、まつ毛を整形するための第１整形面（３３）と第２整形面（３４）が設けられており、
第２整形面（３４）の全長（Ｈ２）は、第１整形面（３３）の全長（Ｈ１）に比べて小さく設定されていることを特徴とするまつ毛整形具。
【請求項２】
本体ケース（１）の一端に整形ヘッド（２）を有し、整形ヘッド（２）にヒーター（２９）が配置されているまつ毛整形具であって、
整形ヘッド（２）の周面と突端面のそれぞれに、まつ毛を整形するための第１整形面（３３）と第２整形面（３４）が設けられており、
第２整形面（３４）の面積は、第１整形面（３３）の面積に比べて小さく設定されていることを特徴とするまつ毛整形具。
【請求項３】
両整形面（３３）・（３４）にまつ毛を加熱するヒーター（２９）が配置されていることを特徴とする請求項１または請求項２に記載のまつ毛整形具。
【請求項４】
整形ヘッド（２）は、ヒーター（２９）とヒーターホルダー（３０）とを含み、
ヒーターホルダー（３０）の周面のヒーター（２９）が露出する部分が第１整形面（３３）となっており、
ヒーターホルダー（３０）の突端面のヒーター（２９）が露出する部分が第２整形面（３４）となっていることを特徴とする請求項１乃至請求項３の何れかに記載のまつ毛整形具。
【請求項５】
両整形面（３３）・（３４）にあるヒーター（２９）は、１本のヒーター線であることを特徴とする請求項３または請求項４に記載のまつ毛整形具。
【請求項６】
両整形面（３３）・（３４）のそれぞれにまつ毛を梳く櫛歯（４１）・（４２）が設けられていることを特徴とする請求項１乃至請求項５の何れかに記載のまつ毛整形具。
【発明の詳細な説明】
【技術分野】
【０００１】
本発明は、まつ毛に熱を加えながら整形する加熱型のまつ毛整形具に関する。
【背景技術】
【０００２】
この種のまつ毛整形具は例えば特許文献１に公知である。そこではグリップの先端に丸棒状の整形ヘッドを設け、整形ヘッドに螺旋状のブラシを設けている。さらにブラシの内側にニクロム線からなる発熱体を螺旋状に配置している。
【先行技術文献】
【特許文献】
【０００３】
【特許文献１】登録実用新案第３０４２７２３号公報（段落番号０００５、図２）
【発明の概要】
【発明が解決しようとする課題】
【０００４】
特許文献１のまつ毛整形具は、整形ヘッドに螺旋状のブラシを設け、ブラシの内側に発熱体を螺旋状に配置するので、整形ヘッドの任意のブラシ部分でまつ毛をカールできる。しかし、湾曲するまつ毛列の中央部分は比較的容易にカールできるが、目頭側や目尻側のまつ毛を自然な感じにカールするのが難しい。
【０００５】
目頭側や目尻側のまつ毛は、中央部分のまつ毛に比べて長さが短く密度が小さい。そのため、整形ヘッドを肌面に近い位置まで接近させて、まつ毛を慎重にカールする必要があり、中央部分をカールする場合に比べて少なからず技量が必要となる。肌面に近い位置でまつ毛を整形するので、ユーザーによってはヒーターを熱く感じること、まつ毛が斜め上向きに伸びていること、さらにまつ毛の必要部分を程よく加熱するのが難しいことも、目頭側や目尻側のまつ毛の整形を難しくしている。
【０００６】
本発明の目的は、目頭側や目尻側のまつ毛を中央部分のまつ毛と同様に効果的に、しかも自然な感じにカールできるまつ毛整形具を提供することにある。
【課題を解決するための手段】
【０００７】
本発明は、本体ケース１の一端に整形ヘッド２を有し、整形ヘッド２にヒーター２９が配置されているまつ毛整形具であって、整形ヘッド２の周面と突端面のそれぞれに、まつ毛を整形するための第１整形面３３と第２整形面３４が設けられており、第２整形面３４の全長Ｈ２は、第１整形面３３の全長Ｈ１に比べて小さく設定されている。
【０００８】
また、本体ケース１の一端に整形ヘッド２を有し、整形ヘッド２にヒーター２９が配置されているまつ毛整形具であって、整形ヘッド２の周面と突端面のそれぞれに、まつ毛を整形するための第１整形面３３と第２整形面３４が設けられており、第２整形面３４の面積は、第１整形面３３の面積に比べて小さく設定されている。
【０００９】
両整形面３３・３４にまつ毛を加熱するヒーター２９が配置されている。
【００１０】
整形ヘッド２は、ヒーター２９とヒーターホルダー３０とを含み、ヒーターホルダー３０の周面のヒーター２９が露出する部分が第１整形面３３となり、ヒーターホルダー３０の突端面のヒーター２９が露出する部分が第２整形面３４となっている。
【００１１】
両整形面３３・３４にあるヒーター２９は、１本のヒーター線である。
【００１２】
両整形面３３・３４のそれぞれにまつ毛を梳く櫛歯４１・４２が設けられている。
【発明の効果】
【００１３】
上記まつ毛整形具によれば、整形ヘッド２の周面に設けた第１整形面３３によって、まつ毛列の湾曲中央部分に沿って生えている長くて密度の高いまつ毛をカールでき、整形ヘッド２の突端面に設けた第２整形面３４で、目頭側や目尻側に生えている短くて密度が低いまつ毛をカールできる。（図１６（ａ）（ｂ）の使用例参照）
【００１４】
上記のように、両整形面３３・３４に臨んでまつ毛を加熱するヒーター２９が配置されているまつ毛整形具によれば、まつ毛を効果的に加熱できる。
【００１５】
上記のように、整形ヘッド２は、ヒーター２９とヒーターホルダー３０とを含み、ヒーターホルダー３０の周面のヒーター２９が露出する部分が第１整形面３３となり、ヒーターホルダー３０の突端面のヒーター２９が露出する部分が第２整形面３４となっているまつ毛整形具によれば、より効果的にまつ毛を加熱できる。
【００１６】
上記のように、両整形面３３・３４にあるヒーター２９を１本のヒーター線としたまつ毛整形具によれば、ヒーター構造を簡素化し、その分だけまつ毛整形具の製造コストを削減できる。
【００１７】
上記のように、両整形面３３・３４のそれぞれにまつ毛を梳く櫛歯４１・４２が設けられているまつ毛整形具によれば、まつ毛の横移動を規制して、まつ毛の一群を適正にくせ付けできる。
【図面の簡単な説明】
【００１８】
【図１】図３におけるＭ−Ｍ線断面図である。
【図２】まつ毛整形具の側面図である。
【図３】整形ヘッドの縦断側面図である。
【図４】第１整形面と第２整形面の各部の寸法を示す説明図である。
【図５】ヒーター構造の概略を示す回路図である。
【図６】まつ毛整形具の使用例を示す説明図である。
【図７】参考例２に係るヒーター構造の回路図である。
【図８】参考例３に係るヒーター構造の回路図である。
【図９】参考例４に係るヒーター構造を示す横断平面図である。
【図１０】参考例５に係るまつ毛整形具の整形ヘッドを示す一部破断側面である。
【図１１】参考例５に係るヒーター構造を示す横断平面図である。
【図１２】本発明の実施例に係るまつ毛整形具の縦断側面図である。
【図１３】図１２に係る整形ヘッドの分解側面図である。
【図１４】図１２におけるＮ−Ｎ線断面図である。
【図１５】図１２に係る第１整形面と第２整形面の各部の寸法を示す説明図である。
【図１６】図１２に係るまつ毛整形具の使用例を示す説明図である。
【発明を実施するための形態】
【００１９】
（参考例１）  図１ないし図６は参考例に係るまつ毛整形具の実施例を示す。図２においてまつ毛整形具は、グリップを兼ねる中空筒状の本体ケース１と、本体ケース１の上端に設けられる整形ヘッド２を備えている。本体ケース１の下端にはキャップ３がねじ込み装着してあり、キャップ３を本体ケース１から取り外した状態において、電池４をケース内部に出し入れできる。本体ケース１の前面には、電池４と後述するヒーター８との間の通電状態をオン・オフするスイッチノブ５が設けてある。
【００２０】
整形ヘッド２は、前後に分割形成される前後のヘッドケース２ａ・２ｂを接合して中空枠状に形成してあり、その内部にヒーター８が収容してある。図１に示すように整形ヘッド２は断面が等脚台形状に形成してあり、前後に対向する平行な辺部のうち、左右幅Ｂ１が大きな後側の辺部を第１整形面１１とし、左右幅Ｂ２が小さな前側の辺部を第２整形面１２としている。両整形面１１・１２のうち、第１整形面１１は、まつ毛列の主に湾曲中央部分に沿って生えているまつ毛をカールするために設けられており、第２整形面１２は目頭側や目尻側に生えているまつ毛をカールするために設けられている。第２整形面１２は下まつ毛をカールする場合にも使用される。
【００２１】
第１・第２の両整形面１１・１２には、それぞれまつ毛を梳くための櫛歯１３・１４が設けてある。図１に示すように第１整形面１１に設けられる櫛歯１３は、第２整形面１２に設けられる櫛歯１４に比べて、歯長Ｌ１が長く、しかも隣接間隔Ｅ１（図３参照）が小さい。第２整形面１２に設けられる櫛歯１４は、第１整形面１１に設けられる櫛歯１３に比べて、歯長Ｌ２が短く、しかも隣接間隔Ｅ２が小さい。前者櫛歯１３は花弁状に形成され、後者櫛歯１４は先すぼまり状の角が丸められた台形状に形成してある。
【００２２】
整形ヘッド２はヒーターホルダー７を兼ねており、先に説明したヘッドケース２ａ・２ｂの内面のそれぞれに、ヒーター８を収容する装填溝９・１０が形成してある。ヘッドケース２ａ側の装填溝９は第２整形面１２の左右中央の１個所に臨んで形成され、ヘッドケース２ｂ側の装填溝１０は第２整形面１２の左右幅方向に沿う３個所に形成してある。整形ヘッド２（ヒーターホルダー７）の内部に収容されるヒーター８は、第１整形面１１に臨んで配置される第１ヒーター８Ａと、第２整形面に臨んで配置される第２ヒーター８Ｂとで構成する。第１ヒーター８Ａと第２ヒーター８Ｂとは、発熱特性が同じヒーター線で構成するが、第２整形面１２の表面温度が、第１整形面１１の表面温度に比べて低温になるよう設定する。
【００２３】
詳しくは、図５に示すように、第１整形面１１においては、整形ヘッド２の基端と先端との間でヒーター線を折り返し配置して、ヒーター線の３個の直線部分が第１整形面１１に臨むようにする。また、第２整形面１２においては、整形ヘッド２の基端から先端にわたってヒーター線を直線状に配置して、ヒーター線の１個の直線部分が第２整形面１２に臨むようにする。なお、第１ヒーター８Ａと第２ヒーター８Ｂとは整形ヘッド２の突端で連続している。このように、第２ヒーター８Ｂの全長寸法を、第１ヒーター８Ａの全長寸法の約３分の１にすると、第２整形面１２の表面温度を第１整形面１１の表面温度より低温にすることができる。第２ヒーター８Ｂの発熱特性と第１ヒーター８Ａの発熱特性とは同じであるが、第２ヒーター８Ｂの長さが短い分だけ第２整形面１２における総発熱量を小さくでき、第２整形面１２における単位面積あたりの発熱量を、第１整形面１１における単位面積あたりの発熱量に比べて小さくできるからである。
【００２４】
上記のように、連続する１本のヒーター線を立体的に折り返して第１ヒーター８Ａと第２ヒーター８Ｂを構成し、第１整形面１１と第２整形面１２の表面温度を異ならせると、発熱特性が異なる２本のヒーター線で第１ヒーター８Ａと第２ヒーター８Ｂを構成する場合に比べて、ヒーター構造を低コスト化できる。また、第１整形面１１においては、第１ヒーター８Ａを反転状に折り返し配置してその発熱面を面状化するので、第１整形面１１の表面全体をむらなく均等に加熱することができる。
【００２５】
上記構成のまつ毛整形具は、片手で本体ケース１を握り、スイッチノブ５をオン状態にして第１・第２の両ヒーター８Ａ・８Ｂを加熱した状態で使用する。使用時には、第１整形面１１が上部に位置する状態でまつ毛整形具を概ね水平に保持し、まつ毛の湾曲中央部分に第１整形面１１をあてがって、図６に示すようにまつ毛をヒーター８で加熱しながら上向きにすくいあげ、さらに、第１整形面１１を眉毛の側へ向かって回転させて上向きにカールする。この状態を保持してカール部分を加熱しながら、整形ヘッド２をさらに上向きに押し上げることにより、まつ毛の毛先まで確実にカールできる。まつ毛をくせ付けするときは、まつ毛を櫛歯１３で捕捉して、まつ毛が第１整形面１１に沿って横移動するのを規制できるので、隣接する櫛歯１３の間に捕捉されたまつ毛の一群を適正にくせ付けできる。
【００２６】
目頭および目尻部分は、第２整形面１２が上向きになる状態でまつ毛整形具を概ね水平に保持し、目頭および目尻部分に位置するまつ毛の基端寄りに第２整形面１２をあてがって、まつ毛をヒーター８で加熱しながら斜め上向きにすくいあげ、この状態を保持してカール部分を加熱する。このとき、第２整形面１２の左右幅Ｂ２は、第１整形面１１の左右幅Ｂ１に比べて小さい（約３分の１）ので、短くしかも毛密度が小さなまつ毛を幅狭の第２整形面１２で的確に捕捉して綿密にくせ付けできる。また、第２整形面１２の表面温度を第１整形面１１の表面温度に比べて低温に設定しているので、肌面に近い位置でまつ毛をカールする場合に、肌面に熱い感じを与えることがなく、たとえ第２整形面１２やその櫛歯１４が肌面に直接触れる場合でも、肌面との接触面積が小さくて済むので、ユーザーに熱い感じを与えることなくカール作業を円滑に行なえる。
【００２７】
第２整形面１２に設けた櫛歯１４は、まつ毛が第２整形面１２に沿って横移動するのを規制して、隣接する櫛歯１４の間に捕捉されたまつ毛を適正にくせ付けするのに役立つ。片方の目のまつ毛のくせ付けが終了したら、本体ケース１を逆の手に持ち変えて左右逆向きにした状態で、他方の目のまつ毛をくせ付けする。このように、左右逆向きに使用するときでも、同じようにくせ付けを行なうために、第１整形面１１、第２整形面１２、および櫛歯１３・１４の形状を左右対称にしている。
【００２８】
図４に、第１整形面１１と、第２整形面１２の各部の寸法関係をまとめて示している。第１整形面１１と第２整形面１２の上下方向の全長Ｈは同じである。第１整形面１１の左右幅（全幅）Ｂ１は、第２整形面１２の左右幅（全幅）Ｂ２より大きく設定してある。Ｂ１÷Ｂ２＝約１．６７である。また、第１整形面１１に設けられる櫛歯１３の隣接間隔Ｅ１は、第２整形面１２に設けられる櫛歯１４の隣接間隔Ｅ２より小さく設定してあり、Ｅ１÷Ｅ２＝約０．６９である。上記の寸法の違いから、第２整形面１２の面積は、第１整形面１１の面積に比べて充分に小さく、後者面積を１００とするとき、前者面積は約６０となる。
【００２９】
下まつ毛をくせ付けする場合には、図６に示すように、第２整形面１２が下向きになる状態でまつ毛整形具を概ね水平に保持する。次にまつ毛の基端寄りに第２整形面１２をあてがって、まつ毛をヒーター８で加熱しながら下向きにすくい下ろし、この状態を保持してカール部分を加熱する。この場合にも、上まつ毛に比べて短くしかも毛密度が小さな下まつ毛を、幅狭の第２整形面１２で的確に捕捉して綿密にくせ付けできる。
【００３０】
以下に、まつ毛整形具の変形実施例を示す。各変形実施例においては、参考例１で説明したまつ毛整形具と大きく異なる部分に限って説明し、参考例１で説明した部材と同じ部材には同じ符号を付して、その説明を省略する。
【００３１】
（参考例２）  図７のまつ毛整形具は、第２整形面１２の表面温度を第１整形面１１の表面温度に比べて低温にするための別の実施例を示す。そこでは、並列接続された第１ヒーター８Ａと第２ヒーター８Ｂを、Ｕ字状に折り返し配置した同じ長さで同じ発熱特性のヒーター線で構成し、第２ヒーター８Ｂ側の給電線の中途部に抵抗１７を直列に接続して、第２ヒーター８Ｂの熱出力が、第１ヒーター８Ａの熱出力より小さくなるように設定した。
【００３２】
（参考例３）  図８のまつ毛整形具は、第２整形面１２の表面温度を第１整形面１１の表面温度に比べて低温にするためのさらに別の実施例を示す。そこでは、第１ヒーター８Ａと第２ヒーター８Ｂを並列接続し、第２ヒーター８Ｂを構成するヒーター線の全長を、第１ヒーター８Ａを構成するヒーター線の全長より長く設定して、第２ヒーター８Ｂの熱出力を第１ヒーター８Ａの熱出力より小さくなるように設定した。ヒーター線の全長が長い第２ヒーター８Ｂの全抵抗値は、ヒーター線の全長が短い第１ヒーター８Ａの全抵抗値に比べて大きくなる。そのため第２ヒーター８Ｂを流れる電流値は、第１ヒーター８Ａを流れる電流値に比べて小さくなり、その結果第２ヒーター８Ｂの熱出力を第１ヒーター８Ａの熱出力より小さくすることができる。この熱出力の違いは、第１ヒーター８Ａと第２ヒーター８Ｂを並列接続することに由来しており、その点が参考例１で説明したヒーター構造とは異なっている。
【００３３】
（参考例４）  図９のまつ毛整形具は、第２整形面１２の表面温度を第１整形面１１の表面温度に比べて低温にするためのさらに別の実施例を示す。そこでは、ヒーター８を第１整形面１１と第２整形面１２との間に配置して、第１整形面１１と第２整形面１２とでヒーター８を共用することとした。そのうえで、ヒーター８の表面から第２整形面１２までの長さ寸法Ｃ２を、ヒーター８の表面から第１整形面１１までの長さ寸法Ｃ１より大きく設定して、第２整形面１２の表面温度が、第１整形面１１の表面温度に比べて低温になるようにした。
【００３４】
（参考例５）  図１０および図１１に示すまつ毛整形具は、整形ヘッド２を、本体ケース１に装着固定されるヒーターホルダー２０と、ヒーターホルダー２０に対して着脱自在に外嵌装着される櫛枠２１とで構成した。ヒーターホルダー２０は断面が等脚台形状の中空枠からなり、前後に対向する平行な辺部のうち、左右幅が大きな後側の辺部を第１整形面１１とし、左右幅が小さな前側の辺部を第２整形面１２とした。ヒーターホルダー２０の内部には、参考例１と同様の第１ヒーター８Ａと第２ヒーター８Ｂとが配置してある。
【００３５】
櫛枠２１は、基端ボス２２と、先端ボス２３と、これらのボス２２・２３を繋ぐ左右一対の側枠２４と、両側枠２４から後ろ向きに張り出し形成される一群の櫛歯１３と、両側枠２４から前向きに張り出し形成される一群の櫛歯１４を一体に備えたプラスチック成形品からなる。左右一対の側枠２４と、前後の櫛歯１４・１３とによって、ヒーターホルダー２０と同じ断面形状の装着穴２５が形成してある。基端ボス２２の内面と、ヒーターホルダー２０の基端部周面には互いに嵌係合して、櫛枠２１の装着状態を保持する係合溝２６と係合リング２７が形成してある。櫛枠２１をヒーターホルダー２０の上方から外嵌装着し、基端ボス２２の係合溝２６を係合リング２７に圧嵌係合することにより、櫛枠２１がヒーターホルダー２０と一体化される。
【００３６】
図１２ないし図１６に、本発明に係るまつ毛整形具の実施例を示す。そこでは、整形ヘッド２を、本体ケース１に装着固定されるヒーターホルダー３０と、ヒーターホルダー３０に外嵌装着される櫛枠３１とで構成した。ヒーターホルダー３０は上下に長い角棒状に形成してあり、その前面に第１整形面３３を有し、上面に第２整形面３４を備えている。第１整形面３３から第２整形面３４にわたって左右一対の逆Ｌ字状の装填溝３２が凹み形成され、その内部にヒーター２９が逆Ｌ字状に配置してある。
【００３７】
第１整形面３３はまつ毛列の主として湾曲中央部分に沿って生えているまつ毛をカールするために設けてあり、第２整形面３４は目頭側や目尻側に生えているまつ毛をカールするために設けてある。第２整形面３４は下まつ毛をカールする場合にも使用される。ヒーターホルダー３０の後面側には、親指を当てる指掛凹部３５が段落ち状に形成してあり、その外面はゴムやエラストマーなどのゴム弾性を備えた逆Ｌ字状の滑止め層３６で覆ってある。
【００３８】
櫛枠３１は、左右一対の逆Ｌ字状の枠部４０と、枠部４０の前面に上下多段状に張り出し形成される櫛歯４１と、枠部４０の上面に前後多段状に張り出し形成される櫛歯４２とを一体に備えている。櫛枠３１をヒーターホルダー３０に密着接合するために、ヒーターホルダー３０の前面左右と、ヒーターホルダー３０の上面左右のそれぞれに、逆Ｌ字状の装着段部４４を形成している。さらに、櫛枠３１とヒーターホルダー３０の接合面の３箇所に、互いに係合する係合爪４５と係合段部４６とが形成してある。
【００３９】
第２整形面３４の表面温度を第１整形面３３の表面温度に比べて低温にするために、ヒーター２９の周面から第２整形面３４までの長さ寸法Ｄ２を、ヒーター２９の表面から第１整形面３３までの長さ寸法Ｄ１より大きく設定している。また、第１整形面３３に設けられる櫛歯４１の歯長Ｌ１に比べて、第２整形面３４に設けられる櫛歯４２の歯長Ｌ２を短く設定した。
【００４０】
図１５に、第１整形面３３と、第２整形面３４の各部の寸法関係をまとめて示している。第１整形面３３と第２整形面３４の全幅Ｂは同じである。第２整形面３４の全長Ｈ２は、第１整形面３３の全長Ｈ１に比べて充分に小さく設定してある。Ｈ１÷Ｈ２＝約２．７である。第１整形面３３に設けられる櫛歯４１の隣接間隔Ｅ１は、第２整形面３４に設けられる櫛歯４２の隣接間隔Ｅ２より僅かに小さく設定してある。上記の寸法の違いから、第２整形面３４の面積は第１整形面３３の面積に比べて充分に小さく、後者面積を１００とするとき前者面積は３７となる。
【００４１】
上記構成のまつ毛整形具は、片手で本体ケース１を握り、スイッチノブ５をオン状態にしてヒーター２９を加熱した状態で使用する。使用時には図１６（ａ）に示すように、第１整形面３３が上向きになる状態でまつ毛整形具を概ね水平に保持し、まつ毛の湾曲中央部分に第１整形面３３をあてがって、まつ毛をヒーター２９で加熱しながら上向きにすくいあげ、さらに、第１整形面１１を眉毛の側へ向かって回転させて上向きにカールする。この状態を保持してカール部分を加熱しながら、整形ヘッド２をさらに上向きに押し上げることにより、まつ毛の毛先まで確実にカールできる。くせ付け時にはまつ毛を櫛歯４１で捕捉して、まつ毛が第１整形面３３に沿って横移動するのを規制できるので、隣接する櫛歯４１の間に捕捉されたまつ毛の一群を適正にくせ付けできる。
【００４２】
目頭および目尻部分は、図１６（ｂ）に示すように第２整形面３４を上向きとし、指掛凹部３５に親指をあてがった状態でまつ毛整形具を縦長姿勢に保持してくせ付けを行なう。詳しくは、目頭および目尻部分に位置するまつ毛の基端寄りに第２整形面３４をあてがって、まつ毛をヒーター２９で加熱しながら斜め上向きにすくいあげ、この状態を保持してカール部分を加熱する。このとき、第２整形面３４の表面温度は、第１整形面３３の表面温度に比べて低温になっているので、肌面に近い位置でまつ毛をカールする場合に、肌面に熱い感じを与えることがなく、たとえ第２整形面３４やその櫛歯４２が敏感な肌面に直接触れる場合でも、ユーザーに熱い感じを与えることなくカール作業を円滑に行なえる。また、第２整形面３４で目頭および目尻部分のまつ毛を整形するとき、表面温度が高い第１整形面３３を横向きに保持して、第１整形面３３側のヒーター熱によって肌面が熱されて熱い感じが与えられるのをよく防止できる。
【００４３】
第２整形面３４に設けた櫛歯４２は、まつ毛が第２整形面３４に沿って横移動するのを規制して、隣接する櫛歯４２の間に捕捉されたまつ毛を適正にくせ付けするのに役立つ。片方の目のまつ毛のくせ付けが終了したら、本体ケース１を逆の手に持ち変えて左右逆向きにした状態で、他方の目のまつ毛をくせ付けする。同様にして、第２整形面３４を下向きにしてまつ毛整形具を縦長姿勢に保持することにより、下まつ毛をくせ付けすることができる。
【００４４】
図１２から図１６で説明したまつ毛整形具では、１本のヒーター線を左右一対の逆Ｌ字状の装填溝３２に沿って一筆書状に配置したが、その必要はない。ヒーター８を並列接続される第１ヒーター８Ａと第２ヒーター８Ｂとで構成し、第１整形面３３と第２整形面３４を第１ヒーター８Ａと第２ヒーター８Ｂで個別に加熱することができる。その場合には、第２整形面３４に対応して配置される第２ヒーター８Ｂの熱出力を、第１整形面３３に対応して配置される第１ヒーター８Ａの熱出力より小さく設定して、第２整形面３４の表面温度を第１整形面３３の表面温度に比べて低温にすることができる。
【００４５】
図１２から図１６で説明したまつ毛整形具は、以下の態様で実施することができる。
グリップを兼ねる本体ケース１の一端に整形ヘッド２を有する加熱型のまつ毛整形具であって、
整形ヘッド２の周面の一側と突端面のそれぞれに、まつ毛を整形するための第１整形面３３と第２整形面３４とが、両整形面３３・３４が互いに交差する状態で配置されており、
両整形面３３・３４に臨んでまつ毛を加熱するヒーター２９が逆Ｌ字状に配置されており、
第１整形面３３の上下寸法に比べて、第２整形面３４の前後寸法が小さく設定してあるまつ毛整形具。
【００４６】
上記にまつ毛整形具によれば、整形ヘッド２の周面に設けた第１整形面３３によって、まつ毛列の湾曲中央部分に沿って生えている長くて密度の高いまつ毛をカールでき、整形ヘッド２の突端面に設けた第２整形面３４で、目頭側や目尻側に生えている短くて密度が低いまつ毛をカールできる。
【００４７】
両整形面３３・３４のそれぞれにまつ毛を梳く櫛歯４１・４２が設けられており、
第１整形面３３に設けられる櫛歯４１と、第２整形面３４に設けられる櫛歯４２とが平行に配置してある上記のまつ毛整形具。
【００４８】
上記のように、第１整形面３３の櫛歯４１と、第２整形面３４の櫛歯４２とを平行に配置するまつ毛整形具によれば、目頭および目尻部分に位置するまつ毛に第２整形面３４をあてがって肌面に近い位置でカールする場合に、第２整形面３４に比べて表面温度が高い第１整形面３３を横向きに指向させて、第１整形面３３側のヒーター熱によって肌面が熱されて熱い感じが与えられるのをよく防止できる。第２整形面３４に設けた櫛歯４２は、マスカラ液で固まったまつ毛を梳き流して単毛状に分化し、まつ毛をより自然な感じに仕上げることにも役立つ。
【００４９】
第１整形面３３と対向する整形ヘッド２の外面に、指掛凹部３５が段落ち状に形成してある上記のまつ毛整形具。
【００５０】
上記のように、整形ヘッド２に段落ち状の指掛凹部３５が形成してあるまつ毛整形具によれば、本体ケース１を握り締めたうえで、さらに指掛凹部３５に親指をあてがって整形ヘッド２を確りと固定保持した状態でまつ毛をくせ付けできるので、短くて密度が低い目頭および目尻部分に位置するまつ毛をきめ細やかにカールすることができる。
【００５１】
上記の実施例以外に、第１ヒーター８Ａと第２ヒーター８Ｂとは、スイッチノブ５を切り換え操作して個別に独立して加熱することができる。
【符号の説明】
【００５２】
１  本体ケース
２  整形ヘッド
２９  ヒーター
３３  第１整形面
３４  第２整形面
【図１】
2010188150.tif 000003
【図２】
2010188150.tif 000004
【図３】
2010188150.tif 000005
【図４】
2010188150.tif 000006
【図５】
2010188150.tif 000007
【図６】
2010188150.tif 000008
【図７】
2010188150.tif 000009
【図８】
2010188150.tif 000010
【図９】
2010188150.tif 000011
【図１０】
2010188150.tif 000012
【図１１】
2010188150.tif 000013
【図１２】
2010188150.tif 000014
【図１３】
2010188150.tif 000015
【図１４】
2010188150.tif 000016
【図１５】
2010188150.tif 000017
【図１６】
2010188150.tif 000018
【手続補正書】
【提出日】平成22年7月14日(2010.7.14)
【手続補正１】
【補正対象書類名】特許請求の範囲
【補正対象項目名】請求項１
【補正方法】変更
【補正の内容】
【請求項１】
本体ケース（１）の一端に整形ヘッド（２）を有し、整形ヘッド（２）にヒーター（２９）が配置されているまつ毛整形具であって、
整形ヘッド（２）の周面と突端面のそれぞれに、まつ毛にあてがい加熱しながら整形するための第１整形面（３３）と第２整形面（３４）が設けられており、
第２整形面（３４）の全長（Ｈ２）は、第１整形面（３３）の全長（Ｈ１）に比べて小さく設定されていることを特徴とするまつ毛整形具。
【手続補正２】
【補正対象書類名】特許請求の範囲
【補正対象項目名】請求項２
【補正方法】変更
【補正の内容】
【請求項２】
本体ケース（１）の一端に整形ヘッド（２）を有し、整形ヘッド（２）にヒーター（２９）が配置されているまつ毛整形具であって、
整形ヘッド（２）の周面と突端面のそれぞれに、まつ毛にあてがい加熱しながら整形するための第１整形面（３３）と第２整形面（３４）が設けられており、
第２整形面（３４）の面積は、第１整形面（３３）の面積に比べて小さく設定されていることを特徴とするまつ毛整形具。
【手続補正３】
【補正対象書類名】明細書
【補正対象項目名】０００７
【補正方法】変更
【補正の内容】
【０００７】
本発明は、本体ケース１の一端に整形ヘッド２を有し、整形ヘッド２にヒーター２９が配置されているまつ毛整形具であって、整形ヘッド２の周面と突端面のそれぞれに、まつ毛にあてがい加熱しながら整形するための第１整形面３３と第２整形面３４が設けられており、第２整形面３４の全長Ｈ２は、第１整形面３３の全長Ｈ１に比べて小さく設定されている。
【手続補正４】
【補正対象書類名】明細書
【補正対象項目名】０００８
【補正方法】変更
【補正の内容】
【０００８】
また、本体ケース１の一端に整形ヘッド２を有し、整形ヘッド２にヒーター２９が配置されているまつ毛整形具であって、整形ヘッド２の周面と突端面のそれぞれに、まつ毛にあてがい加熱しながら整形するための第１整形面３３と第２整形面３４が設けられており、第２整形面３４の面積は、第１整形面３３の面積に比べて小さく設定されている。